(57)【要約】【課題】冷却温度の制御を精度よく行いつつ、省エネルギー化を図ることが可能な冷却装置を提供する。【解決手段】この冷蔵／冷凍装置１００（冷却装置）は、圧縮機２１と凝縮器２２と電磁弁２３と膨張弁２４と蒸発器２５とを含み、冷媒を循環させる冷凍サイクル２と、冷却温度を測定する温度センサ４と、温度センサ４により測定される測定温度値と目標温度値との差を積算して正負の符号を考慮した温度差積算量を取得し、取得した温度差積算量に基づいて、電磁弁の開閉を制御する制御部３とを備える。【選択図】図１
2016080245.tif 000002
【特許請求の範囲】
【請求項１】
圧縮機と凝縮器と膨張弁と蒸発器と電磁弁とを含み、冷媒を循環させる冷凍サイクルと、
冷却温度を測定する温度センサと、
前記温度センサにより測定される測定温度値と目標温度値との差を積算して正負の符号を考慮した温度差積算量を取得し、取得した前記温度差積算量に基づいて、前記電磁弁の開閉を制御する制御部とを備える、冷却装置。
【請求項２】
前記制御部は、取得した前記温度差積算量が第１積算量未満となった場合に、前記電磁弁を閉じる制御を行うように構成されている、請求項１に記載の冷却装置。
【請求項３】
前記制御部は、前記電磁弁を閉じた後、前記目標温度値と前記測定温度値との差の積算を継続して行い、前記温度差積算量が第２積算量より大きくなった場合に、前記電磁弁を開ける制御を行うように構成されている、請求項１または２に記載の冷却装置。
【請求項４】
前記制御部は、前記目標温度値と前記測定温度値との差の絶対値が第１しきい値より小さい場合、前記目標温度値と前記測定温度値との差の積算を行わないように構成されている、請求項１〜３のいずれか１項に記載の冷却装置。
【請求項５】
前記制御部は、前記測定温度値が第２しきい値より大きい場合、または、前記圧縮機が起動してから所定時間以内である場合、前記目標温度値と前記測定温度値との差の積算を行わない、または、前記温度差積算量をリセットするように構成されている、請求項１〜４のいずれか１項に記載の冷却装置。
【発明の詳細な説明】
【技術分野】
【０００１】
この発明は、冷却装置に関し、特に、電磁弁を含む冷凍サイクルを備えた冷却装置に関する。
【背景技術】
【０００２】
従来、電磁弁を含む冷凍サイクルを備えた冷却装置が知られている（たとえば、特許文献１参照）。
【０００３】
上記特許文献１には、圧縮機と凝縮器と膨張弁と蒸発器と電磁弁とを含み、冷媒を循環させる冷凍サイクルと、電磁弁の開閉を制御する制御部とを備える冷凍冷蔵オープンショーケース（冷却装置）が開示されている。この特許文献１の冷凍冷蔵オープンショーケースでは、制御部は、庫内温度の測定値が設定温度に基づく上限温度値よりも大きい場合、電磁弁を開けるとともに、庫内温度の測定値が設定温度に基づく下限温度値よりも小さい場合、電磁弁を閉じる制御を行うように構成されている。
【先行技術文献】
【特許文献】
【０００４】
【特許文献１】特開平１０−２６７４９０号公報
【発明の概要】
【発明が解決しようとする課題】
【０００５】
しかしながら、上記特許文献１では、制御部は、庫内温度の測定値が設定温度に基づく下限温度値よりも小さい場合、電磁弁を閉じる制御を行うため、電磁弁を開けた状態において設定温度と下限温度値との間で庫内温度の測定値が推移した場合に、電磁弁が閉じられずに冷却温度が常に設定温度より低い状態で推移する。この場合、冷却が過剰になり、その分、エネルギーの消費が増大するという問題点がある。また、この場合、冷却温度を設定温度に精度よく近づけることが困難であるという問題点がある。
【０００６】
この発明は、上記のような課題を解決するためになされたものであり、この発明の１つの目的は、冷却温度の制御を精度よく行いつつ、省エネルギー化を図ることが可能な冷却装置を提供することである。
【課題を解決するための手段】
【０００７】
この発明の一の局面による冷却装置は、圧縮機と凝縮器と膨張弁と蒸発器と電磁弁とを含み、冷媒を循環させる冷凍サイクルと、冷却温度を測定する温度センサと、温度センサにより測定される測定温度値と目標温度値との差を積算して正負の符号を考慮した温度差積算量を取得し、取得した温度差積算量に基づいて、電磁弁の開閉を制御する制御部とを備える。
【０００８】
この発明の一の局面による冷却装置では、上記のように、制御部を、温度センサにより測定される測定温度値と目標温度値との差を積算して正負の符号を考慮した温度差積算量を取得し、取得した温度差積算量に基づいて、電磁弁の開閉を制御するように構成する。これにより、測定温度値が目標温度値より低い状態で推移している場合に、温度差積算量に基づいて電磁弁を閉じることにより、過剰の冷却を抑制して、省エネルギー化を図ることができる。また、温度差積算量に基づいて電磁弁が開閉されるので、冷却温度の平均値を目標温度に精度よく近づけることができる。これらにより、冷却温度の制御を精度よく行いつつ、省エネルギー化を図ることができる。
【０００９】
上記一の局面による冷却装置において、好ましくは、制御部は、取得した温度差積算量が第１積算量未満となった場合に、電磁弁を閉じる制御を行うように構成されている。このように構成すれば、温度差積算量が第１積算量未満となった際に電磁弁が閉じられるので、冷却温度が目標温度より常に低い状態で推移する場合と異なり、冷却温度の平均値が目標温度に対して常に低くなることを抑制することができる。これにより、冷却しすぎを抑制して、冷却温度の制御を精度よく行いつつ、省エネルギー化を図ることができる。
【００１０】
上記一の局面による冷却装置において、好ましくは、制御部は、電磁弁を閉じた後、目標温度値と測定温度値との差の積算を継続して行い、温度差積算量が第２積算量より大きくなった場合に、電磁弁を開ける制御を行うように構成されている。このように構成すれば、目標温度値と測定温度値との差の積算を継続して行うことによって、電磁弁を閉じた際に温度差積算量をリセットする場合と異なり、電磁弁を閉じる前後の温度推移を考慮することができるので、電磁弁の開閉により冷却温度の平均値を目標温度に精度よく近づけることができる。
【００１１】
上記第１の局面による冷却装置において、好ましくは、制御部は、目標温度値と測定温度値との差の絶対値が第１しきい値より小さい場合、目標温度値と測定温度値との差の積算を行わないように構成されている。このように構成すれば、冷却温度が目標温度と略同じまたは目標温度に近い場合のように冷却温度と目標温度との差の絶対値が小さい場合に、目標温度値と測定温度値との差が積算されて電磁弁の開閉制御が行われるのを抑制することができる。
【００１２】
上記第１の局面による冷却装置において、好ましくは、制御部は、測定温度値が第２しきい値より大きい場合、または、圧縮機が起動してから所定時間以内である場合、目標温度値と測定温度値との差の積算を行わない、または、温度差積算量をリセットするように構成されている。このように構成すれば、冷却を開始した直後の状態で、測定温度値が第２しきい値より大きい場合、または、圧縮機が起動してから所定時間内である場合に、目標温度値と測定温度値との差を積算することに起因して正の積算値が積算初期において過度に大きくなるのを抑制することができる。これにより、電磁弁を閉じるまでの時間が過度に長くなるのを抑制することができる。
【発明の効果】
【００１３】
本発明によれば、上記のように、冷却温度の制御を精度よく行いつつ、省エネルギー化を図ることが可能な冷却装置を提供することができる。
【図面の簡単な説明】
【００１４】
【図１】本発明の一実施形態による冷蔵／冷凍装置の概略的な全体構成を示したブロック図である。
【図２】本発明の一実施形態による冷蔵／冷凍装置の電磁弁ＯＮ／ＯＦＦ制御処理を説明するためのフローチャートである。
【図３】本発明の一実施形態による冷蔵／冷凍装置の温度推移の一例を示した図である。
【図４】比較例の状態１による冷蔵／冷凍装置の温度推移を示した図である。
【図５】比較例の状態２による冷蔵／冷凍装置の温度推移を示した図である。
【発明を実施するための形態】
【００１５】
以下、本発明を具体化した実施形態を図面に基づいて説明する。
【００１６】
まず、図１を参照して、本発明の一実施形態による冷蔵／冷凍装置１００の構成について説明する。なお、冷蔵／冷凍装置１００は、本発明の「冷却装置」の一例である。
【００１７】
本実施形態による冷蔵／冷凍装置１００は、たとえば、ショーケース、冷蔵／冷凍倉庫、または、冷蔵庫などである。冷蔵／冷凍装置１００は、図１に示すように、冷却庫１と、冷凍サイクル２と、制御部３と、温度センサ４とを備える。また、冷凍サイクル２は、圧縮機２１と、凝縮器２２と、電磁弁２３と、膨張弁２４と、蒸発器２５とを含む。冷凍機は、圧縮機２１および凝縮器２２を含む。
【００１８】
冷却庫１は、商品などの物品（図示せず）を収容するように構成されている。また、冷却庫１は、冷凍サイクル２の蒸発器２５から吹出される冷気により冷却されるように構成されている。
【００１９】
冷凍サイクル２は、たとえば二酸化炭素（ＣＯ２）などの冷媒を圧縮機２１、凝縮器２２、電磁弁２３、膨張弁２４および蒸発器２５に循環させて冷却庫１を冷却させるように構成されている。
【００２０】
圧縮機２１は、冷凍サイクル２における低圧側から吸入されたガス冷媒を圧縮して高圧側に吐出する役割を有している。また、圧縮機２１には、回転数（運転周波数）の変更により冷媒吐出量が制御可能なインバータ制御式圧縮機が用いられている。また、圧縮機２１は、電磁弁２３が閉じられて、低圧側のガス冷媒の圧力が所定値未満となった場合に運転が停止されるように構成されている。
【００２１】
凝縮器２２は、内部を流通する過熱ガス状態の冷媒を外部空気を用いて冷却する機能を有している。また、凝縮器２２内で凝縮（液化）された冷媒は、電磁弁２３に流入される。
【００２２】
電磁弁２３は、制御部３によるＯＮ／ＯＦＦ制御（開閉制御）により、冷媒の流れを制御するように構成されている。具体的には、電磁弁２３がＯＮ（開）の場合、冷媒が流れる。これにより、膨張弁２４および蒸発器２５に冷媒が流れ熱交換が行われて、冷却庫１が冷却される。一方、電磁弁２３がＯＦＦ（閉）の場合、冷媒の流れが止められる。これにより、膨張弁２４および蒸発器２５に冷媒が流れないため、熱交換が行われない。
【００２３】
膨張弁２４は、凝縮器２２で冷却（液化）された冷媒を絞り膨張（減圧）させて蒸発器２５に供給する役割を有している。また、膨張弁２４は、パルス制御により駆動されるステッピングモータの駆動力を利用して弁機構が開閉駆動されるように構成されている。また、膨張弁２４により絞り膨張された液冷媒は、気相および液相からなる気液二相状態のまま蒸発器２５に流入される。
【００２４】
蒸発器２５には、送風機（図示せず）が設けられており、物品を冷却するための空気（冷気）が送風機によって蒸発器２５と冷却庫１との間を循環するように構成されている。また、蒸発器２５は、流通する冷媒が蒸発（気化）する際に、流通する空気から熱を奪って循環空気を冷却する。また、蒸発器２５における蒸発後の冷媒は、気相を多く含んだガス状態となって圧縮機２１に戻される。このように、冷凍サイクル２では、圧縮機２１から吐出された冷媒が、凝縮器２２、電磁弁２３、膨張弁２４、蒸発器２５の順に流れて圧縮機２１に帰還されるサイクルを繰り返す。
【００２５】
制御部３は、冷蔵／冷凍装置１００全体を制御するように構成されている。制御部３は、温度センサ４により検出された冷却庫１の温度（冷却温度）を取得するように構成されている。また、制御部３は、電磁弁２３にＯＮ／ＯＦＦ指令を送信するように構成されている。電磁弁２３は、ＯＮ指令により開かれ、ＯＦＦ指令により閉じられる。また、制御部３は、交流電力の周波数をおよび電力を変換して制御するインバータ制御により、圧縮機２１の回転速度を制御するように構成されている。
【００２６】
ここで、本実施形態では、制御部３は、温度センサ４により測定される測定温度値と目標温度値との差（測定温度値から目標温度値を引いた値）を積算して正負の符号を考慮した温度差積算量Ｉを取得し、取得した温度差積算量Ｉに基づいて、電磁弁２３の開閉を制御する。具体的には、制御部３は、取得した温度差積算量Ｉが負の第１積算量（−Ｉａ）未満となった場合（図３の時間ｔ１および時間ｔ３）に、電磁弁２３を閉じる（ＯＦＦにする）制御を行うように構成されている。
【００２７】
より詳細には、制御部３は、温度センサ４により検出した蒸発器２５から吹き出される冷気（循環空気）の測定温度（冷却温度）を取得し、測定温度値から目標温度値を引いた値を積算して温度差積算量Ｉを算出するように構成されている。また、制御部３は、所定の時間（たとえば、１０秒）間隔毎に目標温度値と測定温度値との差を算出するように構成されている。なお、第１積算量（−Ｉａ）は、たとえば、目標温度から１℃〜２℃低下した状態が１０分程度継続した状態の値に設定されている。たとえば、第１積算量（−Ｉａ）は、−１００℃に設定されている。
【００２８】
また、制御部３は、電磁弁２３を閉じた後、目標温度値と測定温度値との差の積算を継続して行い、温度差積算量Ｉが第２積算量（たとえば、０）より大きくなった場合（図３の時間ｔ２）に、電磁弁２３を開ける制御を行うように構成されている。つまり、温度差積算量Ｉが正の値になった場合に、電磁弁２３が開かれる（ＯＮにされる）。これは、図３に示すように、測定温度（冷却温度）が目標温度を下回る領域の面積と、測定温度（冷却温度）が目標温度を上回る領域の面積とが等しくなったことを示し、温度差積算量Ｉを積算開始してからの測定温度（冷却温度）の平均が目標温度になったことを意味する。
【００２９】
また、制御部３は、目標温度値と測定温度値との差の絶対値が第１しきい値（たとえば、０．５℃）より小さい場合、目標温度値と測定温度値との差の積算を行わないように構成されている。たとえば、制御部３は、目標温度値と測定温度値との差が−０．５℃より大きく＋０．５℃より小さい場合、目標温度値と測定温度値との差の積算を行わないように構成されている。つまり、制御部３は、測定温度（冷却温度）が目標温度に略一致しているとみなせる場合、目標温度値と測定温度値との差の積算を行わないように構成されている。また、制御部３は、目標温度値と測定温度値との差が−０．５℃以下または＋０．５℃以上の場合、目標温度と測定温度の差から不感帯温度（略一致しているとみなせる誤差）（たとえば、０．５℃）を減算して、目標温度値と測定温度値との差を積算するように構成されている。
【００３０】
また、制御部３は、測定温度値が第２しきい値（たとえば、目標温度値）より大きい場合、または、圧縮機２１が起動してから所定時間以内である場合、目標温度値と測定温度値との差の積算を行わないように構成する。つまり、制御部３は、圧縮機２１が起動されてから十分に時間が経過して冷却が行われた状態（目標温度に達した状態）から目標温度値と測定温度値との差の積算を行うように構成されている。
【００３１】
温度センサ４は、冷却庫１に吹出される空気の吹出温度（冷却温度）を検出するように構成されている。また、温度センサ４は、制御部３に接続されており、検出した測定温度（冷却温度）を制御部３に送信するように構成されている。
【００３２】
次に、図２を参照して、本実施形態の冷蔵／冷凍装置１００の制御部３による電磁弁ＯＮ／ＯＦＦ制御処理について説明する。なお、この電磁弁ＯＮ／ＯＦＦ制御処理は、冷蔵／冷凍装置１００の冷却運転中に常時行われる。
【００３３】
図２のステップＳ１において、温度センサ４により検出された吹出温度Ｔｂが取得される。ステップＳ２において、積算期間であるか否かが判断される。なお、積算期間は、たとえば、冷却開始後の所定時間経過時から、除霜を開始した時までの期間、または、冷却開始後の目標温度に到達時から、除霜を開始した時までの期間などである。積算期間であれば、ステップＳ３に進み、積算期間でなければ、処理が終了される。
【００３４】
ステップＳ３において、吹出温度Ｔｂが目標温度Ｔｂ０以上であるか否かが判断される。ＴｂがＴｂ０以上であれば、ステップＳ４に進み、ＴｂがＴｂ０未満であれば、ステップＳ８に進む。ステップＳ４において、吹出温度Ｔｂが目標温度Ｔｂ０に不感帯温度Ｔｂ１（たとえば、０．５℃）を加えた値より大きいか否かが判断される。つまり、測定誤差を考慮して吹出温度Ｔｂが目標温度Ｔｂ０と略同じであるか否かが判断される。ＴｂがＴｂ０＋Ｔｂ１よりも大きい場合、ステップＳ５に進み、ＴｂがＴｂ０＋Ｔｂ１以下である場合、ステップＳ６に進む。つまり、ＴｂがＴｂ０＋Ｔｂ１以下である場合、目標温度Ｔｂ０と吹出温度（測定温度）Ｔｂとの差の積算は行われない。
【００３５】
ステップＳ５において、Ｉ＝Ｉ＋（Ｔｂ−Ｔｂ０−Ｔｂ１）として、温度差積算量Ｉが更新される。つまり、吹出温度（測定温度）Ｔｂと目標温度Ｔｂ０との差から不感帯温度Ｔｂ１が差し引かれて温度差積算量Ｉが積算される。その後、ステップＳ６に進む。
【００３６】
ステップＳ６において、温度差積算量Ｉが第２積算量（０）より大きいか否かが判断される。Ｉが０より大きければ、ステップＳ７に進み、Ｉが０以下であれば、処理が終了される。ステップＳ７において、電磁弁２３がＯＮにされる（開かれる）。その後、処理が終了される。
【００３７】
ステップＳ３において、ＴｂがＴｂ０よりも小さいと判断された場合、ステップＳ８において、吹出温度Ｔｂが目標温度Ｔｂ０に不感帯温度Ｔｂ２（たとえば、０．５℃）を減じた値より小さいか否かが判断される。つまり、測定誤差を考慮して吹出温度Ｔｂが目標温度Ｔｂ０と略同じであるか否かが判断される。ＴｂがＴｂ０−Ｔｂ２よりも小さい場合、ステップＳ９に進み、ＴｂがＴｂ０−Ｔｂ２以上である場合、ステップＳ１０に進む。つまり、ＴｂがＴｂ０−Ｔｂ２以上である場合、目標温度Ｔｂ０と吹出温度（測定温度）Ｔｂとの差の積算は行われない。
【００３８】
ステップＳ９において、Ｉ＝Ｉ−（Ｔｂ０−Ｔｂ２−Ｔｂ）（Ｉ＝Ｉ＋（Ｔｂ−Ｔｂ０＋Ｔｂ２））として、温度差積算量Ｉが更新される。つまり、吹出温度（測定温度）Ｔｂと目標温度Ｔｂ０との差に不感帯温度Ｔｂ２が加えられて温度差積算量Ｉが積算される。その後、ステップＳ１０に進む。
【００３９】
ステップＳ１０において、温度差積算量Ｉが第１積算量（−Ｉａ）未満か否かが判断される。Ｉが−Ｉａ未満であれば、ステップＳ１１に進み、Ｉが−Ｉａ以上であれば、処理が終了される。ステップＳ１１において、電磁弁２３がＯＦＦにされる（閉じられる）。その後、処理が終了される。なお、冷蔵／冷凍装置１００の冷却運転中は、１０秒毎に吹出温度Ｔｂが測定されて、ステップＳ１〜Ｓ１１の処理が繰り返される。
【００４０】
次に、図３〜図５を参照して、本実施形態の冷蔵／冷凍装置１００および比較例における温度推移の一例について説明する。
【００４１】
図３に示すように、本実施形態の冷蔵／冷凍装置１００では、時間ｔ１までの期間は、電磁弁２３がＯＮ（開かれた）状態にされる。また、目標温度値と測定温度値との差を積算した温度差積算量Ｉが負の第１積算量（−Ｉａ）未満となった場合（時間ｔ１）、電磁弁２３がＯＦＦ（閉じた）状態にされる。その後、温度差積算量Ｉをリセットせずに目標温度値と測定温度値との差の積算を継続して行い、温度差積算量Ｉが第２積算量（たとえば０）より大きくなった場合（時間ｔ２）に、電磁弁２３がＯＮ（開かれた）状態にされる。その後、温度差積算量Ｉをリセットせずに目標温度値と測定温度値との差の積算を継続して行い、温度差積算量Ｉが負の第１積算量（−Ｉａ）未満となった場合（時間ｔ３）、電磁弁２３がＯＦＦ（閉じた）状態にされる。
【００４２】
図４および図５に示す比較例では、吹出温度（冷却温度）が目標温度より所定以上低下したＯＦＦ温度に達した場合に、電磁弁がＯＦＦ（閉じた）状態にされ、電磁弁のＯＦＦ後、吹出温度（冷却温度）が目標温度より所定以上上昇したＯＮ温度に達した場合に、電磁弁がＯＮ（開かれた）状態にされるように構成されている。
【００４３】
図４に示す比較例の状態１では、時間ｔ１１（ｔ１３）において、吹出温度（冷却温度）がＯＦＦ温度に達したことにより、電磁弁がＯＦＦ（閉じた）状態にされている。また、電磁弁のＯＦＦ後、時間ｔ１２（ｔ１４）において、吹出温度（冷却温度）がＯＮ温度に達したことにより、電磁弁がＯＮ（開かれた）状態にされている。この場合、吹出温度（冷却温度）は、目標温度近辺を上下するように推移している。
【００４４】
図５に示す比較例の状態２では、電磁弁がＯＮ（開かれた）状態において、吹出温度（冷却温度）が、目標温度とＯＦＦ温度との間で安定して推移している。この場合、吹出温度（冷却温度）がＯＦＦ温度に達しないため、電磁弁がＯＦＦ（閉じた）状態にされない。このため、平均温度が目標温度に対して低くなる。この場合、無駄に冷却することになり、消費エネルギーが増大する。
【００４５】
本実施形態では、以下のような効果を得ることができる。
【００４６】
本実施形態では、上記のように、制御部３を、温度センサ４により測定される測定温度値と目標温度値との差を積算して正負の符号を考慮した温度差積算量Ｉを取得し、取得した温度差積算量Ｉに基づいて、電磁弁２３の開閉を制御するように構成する。これにより、測定温度値が目標温度値より低い状態で推移している場合に、温度差積算量Ｉに基づいて電磁弁２３を閉じることにより、過剰の冷却を抑制して、省エネルギー化を図ることができる。また、温度差積算量Ｉに基づいて電磁弁２３が開閉されるので、冷却温度の平均値を目標温度に精度よく近づけることができる。これらにより、冷却温度の制御を精度よく行いつつ、省エネルギー化を図ることができる。
【００４７】
また、本実施形態では、制御部３を、取得した温度差積算量Ｉが負の第１積算量（−Ｉａ）未満となった場合に、電磁弁２３を閉じる制御を行うように構成する。これにより、温度差積算量Ｉが負の第１積算量（−Ｉａ）未満となった際に電磁弁２３が閉じられるので、冷却温度が目標温度より常に低い状態で推移する場合と異なり、冷却温度の平均値が目標温度に対して常に低くなることを抑制することができる。その結果、冷却しすぎを抑制して、冷却温度の制御を精度よく行いつつ、省エネルギー化を図ることができる。
【００４８】
また、本実施形態では、制御部３を、電磁弁２３を閉じた後、目標温度値と測定温度値との差の積算を継続して行い、温度差積算量Ｉが第２積算量（０）より大きくなった場合に、電磁弁２３を開ける制御を行うように構成する。これにより、目標温度値と測定温度値との差の積算を継続して行うことによって、電磁弁２３を閉じた際に温度差積算量Ｉをリセットする場合と異なり、電磁弁２３を閉じる前後の温度推移を考慮することができるので、電磁弁２３の開閉により冷却温度の平均値を目標温度に精度よく近づけることができる。
【００４９】
また、本実施形態では、制御部３を、目標温度値と測定温度値との差の絶対値が第１しきい値（たとえば、０．５℃）より小さい場合、目標温度値と測定温度値との差の積算を行わないように構成する。これにより、冷却温度が目標温度と略同じまたは目標温度に近い場合のように冷却温度と目標温度との差の絶対値が小さい場合に、目標温度値と測定温度値との差が積算されて電磁弁２３の開閉制御が行われるのを抑制することができる。
【００５０】
また、本実施形態では、制御部３を、測定温度値が第２しきい値より大きい場合、または、圧縮機２１が起動してから所定時間以内である場合、目標温度値と測定温度値との差の積算を行わないように構成する。これにより、冷却を開始した直後の状態で、測定温度値が第２しきい値より大きい場合、または、圧縮機２１が起動してから所定時間内である場合に、目標温度値と測定温度値との差を積算することに起因して正の積算値が積算初期において過度に大きくなるのを抑制することができる。その結果、電磁弁２３を閉じるまでの時間が過度に長くなるのを抑制することができる。
【００５１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５２】
たとえば、上記実施形態では、冷却装置としての冷蔵／冷凍装置に本発明を適用した例について示したが、本発明はこれに限られない。冷蔵／冷凍装置以外の冷却装置に本発明を適用してもよい。たとえば、冷却装置としてのエアコン、冷水器、冷凍車、自動販売機などに本発明を適用してもよい。
【００５３】
また、上記実施形態では、インバータ制御（周波数制御）により圧縮機の回転速度を制御する構成の例を示したが、本発明はこれに限られない。本発明では、圧縮機は、インバータ制御以外により回転数が制御されてもよい。たとえば、圧縮機は、直流モータを含み電流値の制御により回転数が制御されてもよい。
【００５４】
また、上記実施形態では、凝縮器および圧縮機を含む冷凍機が１つ設けられている構成の例を示したが、本発明はこれに限られない。本発明では、凝縮器および圧縮機を含む冷凍機を複数設けてもよい。
【００５５】
また、上記実施形態では、冷却庫内に電磁弁、膨張弁、蒸発器、制御部、温度センサが１つずつ設けられている構成の例を示したが、本発明はこれに限られない。本発明では、冷却庫内に電磁弁、膨張弁、蒸発器、制御部、温度センサが複数設けられていてもよい。また、１つの冷凍機に対して冷却庫を複数設けてもよい。
【００５６】
また、上記実施形態では、目標温度値と測定温度値との差から不感帯温度を加減して温度差積算量を積算する構成の例を示したが、本発明はこれに限られない。本発明では、不感帯温度を加減せずに、目標温度値と測定温度値との差を温度差積算量として積算してもよい。
【００５７】
また、上記実施形態では、温度差積算量が第１積算量未満となった場合に、電磁弁を閉じる制御を行う例を示したが、本発明はこれに限られない。本発明では、温度差積算量が第１積算量未満となった場合に、電磁弁を閉じる制御と、測定温度が所定のしきい値（ＯＦＦ温度）未満となった場合に、電磁弁を閉じる制御とを併用して行ってもよい。これにより、長期／短期の両面において測定温度と目標温度とのかい離を抑制することができるので、安定的かつ効率的に冷却することが可能である。
【００５８】
また、上記実施形態では、温度差積算量が第２積算量より大きくなった場合に、電磁弁を開く制御を行う例を示したが、本発明はこれに限られない。本発明では、温度差積算量が第２積算量より大きくなった場合に、電磁弁を開く制御と、測定温度が所定のしきい値（ＯＮ温度）より大きくなった場合に、電磁弁を開く制御とを併用して行ってもよい。
【００５９】
また、上記実施形態では、測定温度値が第２しきい値より大きい場合、または、圧縮機が起動してから所定時間以内である場合、目標温度値と測定温度値との差の積算を行わない構成の例を示したが、本発明はこれに限られない。本発明では、測定温度値が第２しきい値より大きい場合、または、圧縮機が起動してから所定時間以内である場合、温度差積算量をリセットする構成であってもよい。
【００６０】
また、上記実施形態では、冷媒として二酸化炭素（ＣＯ２）を用いる構成の例を示したが、本発明はこれに限られない。本発明では、冷媒として二酸化炭素以外の冷媒を用いてもよい。たとえば、二酸化炭素以外の他の自然冷媒を用いてもよいし、オゾン層破壊係数がゼロの代替フロン冷媒を用いてもよい。
【００６１】
また、上記実施形態では、説明の便宜上、制御部の処理を処理フローに沿って順番に処理を行うフロー駆動型のフローチャートを用いて説明したが、本発明はこれに限られない。本発明では、制御部の処理を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００６２】
２  冷凍サイクル
３  制御部
４  温度センサ
２１  圧縮機
２２  凝縮器
２３  電磁弁
２４  膨張弁
２５  蒸発器
１００  冷蔵／冷凍装置（冷却装置）
【図１】
2016080245.tif 000003
【図２】
2016080245.tif 000004
【図３】
2016080245.tif 000005
【図４】
2016080245.tif 000006
【図５】
2016080245.tif 000007